(57)【要約】【課題】コネクタのピッチ方向におけるサイズを大きくすることなく、コネクタと接続する接続対象物の信号線の数を増やすことができる構造を備えた端子を提供すること。【解決手段】端子は、第１端子と第２端子と絶縁体とを備えている。第１端子は第１接点部を有しており、第２端子は第２接点部を有している。第１接点部は、第１方向において接続対象物の第１相手側接続部と電気的に接続する。第２接点部は、第１方向において第１接点部とは反対側から接続対象物の第２相手側接続部と電気的に接続する。絶縁体は、第１端子と第２端子とを電気的に絶縁しつつ、第１方向と直交する第２方向において第１端子と第２端子とを固定して一体化している。第１接点部及び第２接点部が第１相手側接続部及び第２相手側接続部と夫々接続する際に、第１端子は第２相手側接続部には電気的に接続されず、第２端子は第１相手側接続部には電気的に接続されない。【選択図】図７
2015133202.tif 000002
【特許請求の範囲】
【請求項１】
第１相手側接続部と第２相手側接続部とを有する接続対象物と接続する端子であって、
前記端子は、第１端子と第２端子と絶縁体とを備えており、
前記第１端子は、第１接点部を有しており、前記第１接点部は、第１方向において前記第１相手側接続部と電気的に接続し、
前記第２端子は、第２接点部を有しており、前記第２接点部は、前記第１方向において前記第１接点部とは反対側から前記第２相手側接続部と電気的に接続し、
前記絶縁体は、前記第１端子と前記第２端子とを電気的に絶縁しつつ、前記第１方向と直交する第２方向において前記第１端子と前記第２端子とを固定して一体化しており、
前記第１接点部及び前記第２接点部が前記第１相手側接続部及び前記第２相手側接続部と夫々接続する際に、前記第１端子は前記第２相手側接続部には電気的に接続されず、且つ、前記第２端子は前記第１相手側接続部には電気的に接続されない
端子。
【請求項２】
請求項１記載の端子であって、
前記第１端子は、前記第２相手側接続部と電気的に接続する部位を有しておらず、
前記第２端子は、前記第１相手側接続部と電気的に接続する部位を有していない
端子。
【請求項３】
請求項１又は請求項２記載の端子であって、
前記第１端子は、前記第１接点部のみによって前記第１相手側接続部と電気的に接続し、
前記第２端子は、前記第２接点部のみによって前記第２相手側接続部と電気的に接続する
端子。
【請求項４】
請求項１乃至請求項３のいずれかに記載の端子であって、
前記第１端子は、前記第２方向に沿って見たときに前記第２接点部と重なる部位を有しておらず、
前記第２端子は、前記第２方向に沿って見たときに前記第１接点部と重なる部位を有していない
端子。
【請求項５】
請求項４記載の端子であって、
前記第１接点部は、前記第１方向の内側に突出しており、
前記第２接点部は、前記第１方向の内側に突出している
端子。
【請求項６】
請求項１乃至請求項５のいずれかに記載の端子であって、
前記第１接点部と前記第２接点部とは、前記第１方向および前記第２方向の双方と直交する第３方向において同じ位置にある
端子。
【請求項７】
請求項１乃至請求項６のいずれかに記載の端子であって、
前記第１接点部と前記第２接点部とは、前記第２方向において異なる位置にある
端子。
【請求項８】
請求項１乃至請求項６のいずれかに記載の端子であって、
前記第１接点部と前記第２接点部とは、前記第２方向において同じ位置にある
端子。
【請求項９】
請求項８記載の端子であって、
前記第１端子は、第１接続部を有しており、前記第１接点部は、前記第１接続部に設けられており、
前記第２端子は、第２接続部を有しており、前記第２接点部は、前記第２接続部に設けられており、
前記第１接続部及び前記第２接続部のうちの少なくとも一方は、前記第１方向に沿って見たときにクランク形状を有している
端子。
【請求項１０】
請求項８記載の端子であって、
前記第１端子は、基部と張出し部と結合部とを有しており、
前記基部は、前記第１方向および前記第２方向の双方と直交する第３方向に沿って延びており、
前記張出し部は、前記第２方向において前記基部から離れており、
前記結合部は、前記基部と前記張出し部とを前記第２方向において結合しており、
前記第１接点部は、前記張出し部に設けられている
端子。
【請求項１１】
請求項１乃至請求項１０のいずれかに記載の端子であって、
前記絶縁体は、前記第１端子と前記第２端子とを融着により一体化している
端子。
【請求項１２】
請求項１乃至請求項１１のいずれかに記載の端子であって、
前記第１端子及び前記第２端子のうちの少なくとも一方は、弾性変形可能な弾性支持部を有しており、
前記第１接点部及び前記第２接点部のうちの少なくとも一方は、前記弾性支持部によって支持されており、前記第１接点部及び前記第２接点部のうちの他方に対して前記第１方向において相対的に移動可能である
端子。
【請求項１３】
請求項１乃至請求項１１のいずれかに記載の端子であって、
前記第１接点部及び前記第２接点部のいずれも、前記第１方向において移動しないように支持されている
端子。
【請求項１４】
請求項１乃至請求項１３のいずれかに記載の端子であって、
前記第１端子は、固定対象物に固定されて前記固定対象物と接続する第１被固定部を有しており、
前記第２端子は、前記固定対象物に固定されて前記固定対象物と接続する第２被固定部を有している
端子。
【請求項１５】
請求項１４記載の端子であって、
前記第１被固定部及び前記第２被固定部は、前記固定対象物に半田付けによって固定される
端子。
【請求項１６】
請求項１４又は請求項１５記載の端子であって、
前記固定対象物は、所定平面に沿って延びており、
前記第１方向は、前記所定平面と交差している
端子。
【請求項１７】
請求項１６記載の端子であって、
前記第１被固定部及び前記第２被固定部は、前記所定平面と平行な前後方向において互いから離れるように延びている
端子。
【請求項１８】
請求項１４又は請求項１５記載の端子であって、
前記固定対象物は、所定平面に沿って延びており、
前記第１方向は、前記所定平面と平行な前後方向である
端子。
【請求項１９】
請求項１８記載の端子であって、
前記第１被固定部及び前記第２被固定部は、前記前後方向において互いから離れるように延びている
端子。
【請求項２０】
請求項１４乃至請求項１９のいずれかに記載の端子であって、
前記固定対象物は、プリント回路基板である
端子。
【請求項２１】
請求項１乃至請求項２０のいずれかに記載の端子であって、
前記接続対象物は、プリント回路基板である
端子。
【請求項２２】
請求項１乃至請求項２０のいずれかに記載の端子であって、
前記接続対象物は、相手側コネクタである
端子。
【請求項２３】
請求項１乃至請求項２２のいずれかに記載の端子と、ハウジングとを備えるコネクタであって、
前記ハウジングには、収容部が形成されており、
前記端子は、前記収容部に部分的に収容されている
コネクタ。
【発明の詳細な説明】
【技術分野】
【０００１】
本発明は、プリント回路基板やコネクタのような接続対象物と接続する端子に関する。
【背景技術】
【０００２】
例えば、特許文献１には、このタイプの端子が開示されている。
【０００３】
図３５に示されるように、特許文献１のクリップ端子（端子）は、前後方向に沿って回路基板（接続対象物）と接続する。クリップ端子は、複数の金属片と複数の樹脂材（絶縁体）とを備えている。金属片と樹脂材とは横方向において交互に接着され固定されている。回路基板の上面及び下面（図示せず）には、複数の端子（接続部）が設けられている。クリップ端子が回路基板と接続すると、金属片の夫々は回路基板を上下に挟み、回路基板の上面及び下面の端子と電気的に接続される。
【先行技術文献】
【特許文献】
【０００４】
【特許文献１】特開２００２−１５７９６号公報
【発明の概要】
【発明が解決しようとする課題】
【０００５】
近年、コネクタのサイズ、特にピッチ方向におけるサイズを大きくすることなく、コネクタと接続する接続対象物の信号線の数を増やしたいという要求がある。
【０００６】
そこで、本発明は、この要求に応えることができる構造を備えた端子を提供することを目的とする。
【課題を解決するための手段】
【０００７】
本発明は、第１の端子として、
第１相手側接続部と第２相手側接続部とを有する接続対象物と接続する端子であって、
前記端子は、第１端子と第２端子と絶縁体とを備えており、
前記第１端子は、第１接点部を有しており、前記第１接点部は、第１方向において前記第１相手側接続部と電気的に接続し、
前記第２端子は、第２接点部を有しており、前記第２接点部は、前記第１方向において前記第１接点部とは反対側から前記第２相手側接続部と電気的に接続し、
前記絶縁体は、前記第１端子と前記第２端子とを電気的に絶縁しつつ、前記第１方向と直交する第２方向において前記第１端子と前記第２端子とを固定して一体化しており、
前記第１接点部及び前記第２接点部が前記第１相手側接続部及び前記第２相手側接続部と夫々接続する際に、前記第１端子は前記第２相手側接続部には電気的に接続されず、且つ、前記第２端子は前記第１相手側接続部には電気的に接続されない
端子を提供する。
【０００８】
また、本発明は、第２の端子として、第１の端子であって、
前記第１端子は、前記第２相手側接続部と電気的に接続する部位を有しておらず、
前記第２端子は、前記第１相手側接続部と電気的に接続する部位を有していない
端子を提供する。
【０００９】
また、本発明は、第３の端子として、第１又は第２の端子であって、
前記第１端子は、前記第１接点部のみによって前記第１相手側接続部と電気的に接続し、
前記第２端子は、前記第２接点部のみによって前記第２相手側接続部と電気的に接続する
端子を提供する。
【００１０】
また、本発明は、第４の端子として、第１乃至第３の端子のいずれかであって、
前記第１端子は、前記第２方向に沿って見たときに前記第２接点部と重なる部位を有しておらず、
前記第２端子は、前記第２方向に沿って見たときに前記第１接点部と重なる部位を有していない
端子を提供する。
【００１１】
また、本発明は、第５の端子として、第４の端子であって、
前記第１接点部は、前記第１方向の内側に突出しており、
前記第２接点部は、前記第１方向の内側に突出している
端子を提供する。
【００１２】
また、本発明は、第６の端子として、第１乃至第５の端子のいずれかであって、
前記第１接点部と前記第２接点部とは、前記第１方向および前記第２方向の双方と直交する第３方向において同じ位置にある
端子を提供する。
【００１３】
また、本発明は、第７の端子として、第１乃至第６の端子のいずれかであって、
前記第１接点部と前記第２接点部とは、前記第２方向において異なる位置にある
端子を提供する。
【００１４】
また、本発明は、第８の端子として、第１乃至第６の端子のいずれかであって、
前記第１接点部と前記第２接点部とは、前記第２方向において同じ位置にある
端子を提供する。
【００１５】
また、本発明は、第９の端子として、第８の端子であって、
前記第１端子は、第１接続部を有しており、前記第１接点部は、前記第１接続部に設けられており、
前記第２端子は、第２接続部を有しており、前記第２接点部は、前記第２接続部に設けられており、
前記第１接続部及び前記第２接続部のうちの少なくとも一方は、前記第１方向に沿って見たときにクランク形状を有している
端子を提供する。
【００１６】
また、本発明は、第１０の端子として、第８の端子であって、
前記第１端子は、基部と張出し部と結合部とを有しており、
前記基部は、前記第１方向および前記第２方向の双方と直交する第３方向に沿って延びており、
前記張出し部は、前記第２方向において前記基部から離れており、
前記連結部は、前記基部と前記張出し部とを前記第２方向において結合しており、
前記第１接点部は、前記張出し部に設けられている
端子を提供する。
【００１７】
また、本発明は、第１１の端子として、第１乃至第１０の端子のいずれかであって、
前記絶縁体は、前記第１端子と前記第２端子とを融着により一体化している
端子を提供する。
【００１８】
また、本発明は、第１２の端子として、第１乃至第１１の端子のいずれかであって、
前記第１端子及び前記第２端子のうちの少なくとも一方は、弾性変形可能な弾性支持部を有しており、
前記第１接点部及び前記第２接点部のうちの少なくとも一方は、前記弾性支持部によって支持されており、前記第１接点部及び前記第２接点部のうちの他方に対して前記第１方向において相対的に移動可能である
端子を提供する。
【００１９】
また、本発明は、第１３の端子として、第１乃至第１１の端子のいずれかであって、
前記第１接点部及び前記第２接点部のいずれも、前記第１方向において移動しないように支持されている
端子を提供する。
【００２０】
また、本発明は、第１４の端子として、第１乃至第１３の端子のいずれかであって、
前記第１端子は、固定対象物に固定されて前記固定対象物と接続する第１被固定部を有しており、
前記第２端子は、前記固定対象物に固定されて前記固定対象物と接続する第２被固定部を有している
端子を提供する。
【００２１】
また、本発明は、第１５の端子として、第１４の端子であって、
前記第１被固定部及び前記第２被固定部は、前記固定対象物に半田付けによって固定される
端子を提供する。
【００２２】
また、本発明は、第１６の端子として、第１４又は第１５の端子であって、
前記固定対象物は、所定平面に沿って延びており、
前記第１方向は、前記所定平面と交差している
端子を提供する。
【００２３】
また、本発明は、第１７の端子として、第１６の端子であって、
前記第１被固定部及び前記第２被固定部は、前記所定平面と平行な前後方向において互いから離れるように延びている
端子を提供する。
【００２４】
また、本発明は、第１８の端子として、第１４又は第１５の端子であって、
前記固定対象物は、所定平面に沿って延びており、
前記第１方向は、前記所定平面と平行な前後方向である
端子を提供する。
【００２５】
また、本発明は、第１９の端子として、第１８の端子であって、
前記第１被固定部及び前記第２被固定部は、前記前後方向において互いから離れるように延びている
端子を提供する。
【００２６】
また、本発明は、第２０の端子として、第１４乃至第１９の端子のいずれかであって、
前記固定対象物は、プリント回路基板である
端子を提供する。
【００２７】
また、本発明は、第２１の端子として、第１乃至第２０の端子のいずれかであって、
前記接続対象物は、プリント回路基板である
端子を提供する。
【００２８】
また、本発明は、第２２の端子として、第１乃至第２０の端子のいずれかであって、
前記接続対象物は、相手側コネクタである
端子を提供する。
【００２９】
また、本発明は、第１のコネクタとして、
第１乃至第２２の端子のいずれかと、ハウジングとを備えるコネクタであって、
前記ハウジングには、収容部が形成されており、
前記端子は、前記収容部に部分的に収容されている
コネクタを提供する。
【発明の効果】
【００３０】
本発明によれば、端子の絶縁体は、第１相手側接続部及び第２相手側接続部との接続方向と直交する第２方向において、第１端子と第２端子とを固定して一体化している。このため、第１端子の第１接点部と第２端子の第２接点部とを第２方向において接近させることができる。更に、第１端子は、接続対象物の第１相手側接続部と接続される一方、第２相手側接続部とは接続されない。また、第２端子は、第２相手側接続部と接続される一方、第１相手側接続部とは接続されない。このため、例えば、第１相手側接続部（接続部）を接続対象物の上面に設け、第２相手側接続部（接続部）を接続対象物の下面に設けることができる。即ち、このように構成された端子は、接続対象物の上面及び下面に高密度に配置された接続部と接続可能である。
【図面の簡単な説明】
【００３１】
【図１】本発明の第１の実施の形態によるコネクタを示す斜視図である。ここで、コネクタが固定される固定対象物（プリント回路基板）の一部を破線で描画している。
【図２】図１のコネクタを示す上面図である。
【図３】図１のコネクタを示す正面図である。ここで、コネクタの端子の近傍（破線で囲んだ部分）を拡大して描画している。
【図４】図１のコネクタを示す背面図である。ここで、端子の近傍（破線で囲んだ部分）を拡大して描画している。
【図５】図１のコネクタを示す底面図である。
【図６】図２のコネクタをＶＩ−ＶＩ線に沿って示す断面図である。ここで、コネクタが固定されるプリント回路基板の上面を破線で描画している。また、端子の第１接点部及び第２接点部の近傍（１点鎖線で囲んだ部分）を拡大して描画している。
【図７】本発明の第１の実施の形態による端子を示す上側斜視図である。
【図８】図７の端子を示す下側斜視図である。
【図９】図７の端子と、端子と接続した接続対象物（プリント回路基板）の一部とを一方の側から示す側面図である。
【図１０】図９の端子及びプリント回路基板を他方の側から示す側面図である。
【図１１】図９の端子及びプリント回路基板を示す上面図である。
【図１２】図９の端子及びプリント回路基板を示す底面図である。
【図１３】本発明の第２の実施の形態による端子を示す上側斜視図である。
【図１４】図１３の端子を示す下側斜視図である。
【図１５】図１３の端子と、端子と接続したプリント回路基板の一部とを示す側面図である。
【図１６】図１５の端子及びプリント回路基板を示す上面図である。
【図１７】図１５の端子及びプリント回路基板を示す底面図である。
【図１８】本発明の第３の実施の形態による端子を示す上側斜視図である。
【図１９】図１８の端子の第１端子と第２端子とを示す上側斜視図である。
【図２０】図１９の端子を示す下側斜視図である。
【図２１】図１９の端子と、端子と接続したプリント回路基板の一部とを示す側面図である。
【図２２】図２１の端子及びプリント回路基板を示す上面図である。ここで、第１接続部の端部の近傍（１点鎖線で囲んだ部分）を拡大して絶縁体を除いて描画している。
【図２３】本発明の第４の実施の形態による端子を示す上側斜視図である。
【図２４】図２３の端子を示す下側斜視図である。
【図２５】図２３の端子と、端子と接続したプリント回路基板の一部とを示す側面図である。
【図２６】本発明の第５の実施の形態による端子を示す上側斜視図である。
【図２７】図２６の端子を示す下側斜視図である。
【図２８】図２６の端子と、端子と接続した接続対象物（相手側コネクタ）の一部とを示す側面図である。ここで、第１端子の隠れた前脚部の上端を破線で描画している。
【図２９】図２８の端子とコネクタの一部とを示す上面図である。
【図３０】本発明の第６の実施の形態による端子を示す上側斜視図である。
【図３１】図３０の端子と、端子と接続したコネクタの一部とを示す正面図である。ここで、端子の第１端子の隠れた副部の輪郭を破線で描画している。
【図３２】図３１の端子及びコネクタを示す側面図である。
【図３３】本発明の第６の実施の形態による端子を示す上側斜視図である。
【図３４】図３３の端子と、端子と接続したコネクタの一部とを示す正面図である。
【図３５】特許文献１のクリップ端子と回路基板とを示す斜視図である。
【発明を実施するための形態】
【００３２】
（第１の実施の形態）
図１乃至図６から理解されるように、本発明の第１の実施の形態によるコネクタ１０は、固定対象物（プリント回路基板）８５０に搭載され固定される基板コネクタである。即ち、本実施の形態によるコネクタ１０が固定される固定対象物は、プリント回路基板である。但し、本発明は、基板コネクタ以外のコネクタにも適用可能である。コネクタ１０は、Ｘ方向（前後方向，第３方向）に沿ってコネクタ１０に挿入された接続対象物（プリント回路基板）８００と接続可能である。即ち、本実施の形態によるコネクタ１０が使用時に接続する接続対象物は、プリント回路基板である。但し、本発明による接続対象物は、プリント回路基板でなくてもよい。
【００３３】
図１から理解されるように、プリント回路基板８５０は、ＸＹ平面（所定平面）に沿って延びている。プリント回路基板８５０には、コネクタ１０と接続する複数の導電パッド（図示せず）が設けられている。
【００３４】
図６に示されるように、プリント回路基板８００は、コネクタ１０に挿入される接続端８０２を有している。また、図２及び図５に示されるように、プリント回路基板８００は、Ｚ方向（上下方向，第１方向）における上面８０４及び下面８０６を有している。上面８０４には、複数の第１相手側接続部（導電パッド）８１０が設けられており、下面８０６には、複数の第２相手側接続部（導電パッド）８２０が設けられている。導電パッド８１０は、接続端８０２の近傍においてＹ方向（ピッチ方向，第２方向）に配置されている。同様に、導電パッド８２０は、接続端８０２の近傍においてＹ方向に配置されている。導電パッド８１０は、プリント回路基板８００の信号線（図示せず）と接続されている。導電パッド８２０は、導電パッド８１０が接続されている信号線とは異なる信号線と接続されている。
【００３５】
図１乃至図６に示されるように、本実施の形態によるコネクタ１０は、絶縁性材料からなるハウジング１００と、絶縁性材料からなるアクチュエータ２００と、複数の端子３００と、絶縁性材料からなる絶縁シート７００とを備えている。
【００３６】
図１乃至図３に示されるように、ハウジング１００は、Ｙ方向に長く延びる平板形状を有しており、Ｘ方向において前端１０２を有している。ハウジング１００は、上板１１０と底板１２０とを有している。上板１１０は、ハウジング１００の上部をＹ方向に長く延びており、底板１２０は、ハウジング１００の下部をＹ方向に長く延びている。
【００３７】
図１、図２、図５及び図６に示されるように、ハウジング１００には、受容部１３０と、複数の収容部１４０とが形成されている。受容部１３０は、Ｚ方向において上板１１０と底板１２０との間に位置する空間である。受容部１３０は、コネクタ１０の前端１０２から挿入されたプリント回路基板８００の接続端８０２を受容する。収容部１４０は、上板１１０及び底板１２０をＺ方向に貫通する空間である。収容部１４０は、Ｙ方向に並んでいる。収容部１４０には、端子３００が収容部１４０の下から夫々挿入され収容されている。即ち、端子３００は、収容部１４０に部分的に収容されている。端子３００が収容された収容部１４０の下端（−Ｚ側の端）は、絶縁シート７００によって部分的に塞がれている（図５参照）。
【００３８】
図６及び図７に示されるように、端子３００は、上部３１０と下部３４０と連結部３９０とを有している。上部３１０及び下部３４０は、Ｘ方向に沿って延びている。連結部３９０は、上部３１０のＸ方向における中間部と下部３４０のＸ方向における中間部とを、Ｚ方向において連結している。
【００３９】
端子３００の上部３１０は、第１接続部３２０と被押上げ部３３０とを有している。第１接続部３２０は、連結部３９０から前方に（＋Ｘ方向に）延びており、被押上げ部３３０は、連結部３９０から後方に（−Ｘ方向に）延びている。同様に、下部３４０は、第２接続部（第２被固定部）３５０と第１被固定部３７０とを有している。第２接続部３５０は、連結部３９０から前方に延びており、第１被固定部３７０は、連結部３９０から後方に延びている。
【００４０】
図６から理解されるように、第２接続部３５０の前端部（＋Ｘ側の端部）及び第１被固定部３７０の後端部（−Ｘ側の端部）は、プリント回路基板８５０の導電パッド（図示せず）に半田付け等によって接続され固定される。第２接続部３５０及び第１被固定部３７０（下部３４０）がプリント回路基板８５０に固定されると、上部３１０は、ＸＺ平面内において連結部３９０を中心として回転するように弾性変形可能である。即ち、第１接続部３２０及び被押上げ部３３０の夫々は、ＸＺ平面内において弾性変形可能である。
【００４１】
図３、図４及び図６に示されるように、アクチュエータ２００は、Ｙ方向に長く延びる平板形状を有している。アクチュエータ２００には、複数のスリット２１０と、複数の押上げ部２２０とが形成されている。スリット２１０は、アクチュエータ２００を厚み方向に貫通している。押上げ部２２０は、アクチュエータ２００の幅方向における端とスリット２１０との間に位置しており、概ねアクチュエータ２００の厚み方向に沿って延びている。
【００４２】
図６に示されるように、アクチュエータ２００は、押上げ部２２０がアクチュエータ２００の下端に位置してＸ方向に沿って延びるようにして、ハウジング１００の上に配置される。このとき、スリット２１０は、Ｙ方向においてハウジング１００の収容部１４０と同じ位置にある。収容部１４０に収容された端子３００の被押上げ部３３０は、アクチュエータ２００の押上げ部２２０の上に位置する。
【００４３】
プリント回路基板８００の接続端８０２がコネクタ１０の受容部１３０に受容されると、端子３００は、プリント回路基板８００と接続する。詳しくは、端子３００の第１接続部３２０及び第２接続部３５０は、プリント回路基板８００の導電パッド８１０及び導電パッド８２０と夫々電気的に接続する。このときアクチュエータ２００を回転方向（図６参照）に回転させると、被押上げ部３３０が上方に（＋Ｚ方向に）リフトアップされ、第１接続部３２０が導電パッド８１０に向かって押し付けられる。第１接続部３２０及び第２接続部３５０は、導電パッド８１０及び導電パッド８２０をＺ方向に挟み込み、これにより端子３００とプリント回路基板８００との接続が確実に維持される。
【００４４】
本実施の形態によるコネクタ１０は、様々に変形可能である。例えば、収容部１４０は、下方に（−Ｚ方向に）凹んだ凹みであってもよい。この場合、絶縁シート７００は設けられていなくてもよい。端子３００は、ハウジング１００の収容部１４０に圧入されて収容されていてもよい。また、端子３００は、被押上げ部３３０を有していなくてもよい。この場合、アクチュエータ２００は設けられていなくてもよい。
【００４５】
即ち、本発明によるコネクタは、本発明による端子を少なくとも部分的に収容できる限り、どのように構成されていてもよい。
【００４６】
以下、本実施の形態による端子３００について更に詳しく説明する。
【００４７】
図７及び図８に示されるように、端子３００は、導電体からなる第１端子４００と、導電体からなる第２端子５００と、樹脂等の絶縁性材料からなる絶縁体６００とを備えている。第１端子４００、第２端子５００及び絶縁体６００の夫々は、Ｙ方向（ピッチ方向，第２方向）と直交する平面上を延びている。
【００４８】
第１端子４００は、絶縁体６００のＹ方向（第２方向）における一方の側（−Ｙ側）に融着されて固定されており、第２端子５００は、絶縁体６００のＹ方向における他方の側（＋Ｙ側）に融着されて固定されている。即ち、絶縁体６００は、Ｙ方向において第１端子４００と第２端子５００とを融着により固定して一体化している。また、絶縁体６００は、第１端子４００と第２端子５００とを電気的に絶縁している。換言すれば、端子３００は、Ｙ方向において僅かに離れ且つ互いに絶縁された２つの端子（第１端子４００及び第２端子５００）を備えている。このように構成された端子３００は、例えば薄い樹脂板の上下に２枚の金属板を融着し、切り抜くことにより形成することができる。
【００４９】
本実施の形態によれば、第１端子４００が端子３００の−Ｙ側に位置し、第２端子５００が端子３００の＋Ｙ側に位置している。しかしながら、第１端子４００が端子３００の＋Ｙ側に位置し、第２端子５００が端子３００の−Ｙ側に位置していてもよい。また、第１端子４００及び第２端子５００は、融着以外の方法で絶縁体６００に固定されていてもよい。
【００５０】
図７及び図８に示されるように、本実施の形態によれば、第１端子４００、第２端子５００及び絶縁体６００は、互いに類似した基本構造を有している。詳しくは、第１端子４００は、上部４１０と下部４４０と連結部４９０とを有している。上部４１０及び下部４４０は、Ｘ方向（前後方向，第３方向）に沿って延びている。連結部４９０は、上部４１０のＸ方向における中間部と下部４４０のＸ方向における中間部とを、Ｚ方向（上下方向，第１方向）において連結している。同様に、第２端子５００は、上部５１０と下部５４０と連結部５９０とを有している。上部５１０及び下部５４０は、Ｘ方向に沿って延びている。連結部５９０は、上部５１０のＸ方向における中間部と下部５４０のＸ方向における中間部とを、Ｚ方向において連結している。同様に、絶縁体６００は、上部６１０と下部６４０と連結部６９０とを有している。上部６１０及び下部６４０は、Ｘ方向に沿って延びている。連結部６９０は、上部６１０のＸ方向における中間部と下部６４０のＸ方向における中間部とを、Ｚ方向において連結している。
【００５１】
第１端子４００の上部４１０及び第２端子５００の上部５１０は、絶縁体６００の上部６１０によって固定され、上部６１０と共に端子３００の上部３１０を構成している。第１端子４００の下部４４０及び第２端子５００の下部５４０は、絶縁体６００の下部６４０によって固定され、下部６４０と共に端子３００の下部３４０を構成している。第１端子４００の連結部４９０及び第２端子５００の連結部５９０は、絶縁体６００の連結部６９０によって固定され、連結部６９０と共に端子３００の連結部３９０を構成している。
【００５２】
第１端子４００の上部４１０は、第１接続部（弾性支持部）４２０と第１被押上げ部４３０とを有している。第１接続部４２０は、連結部４９０から前方に延びており、第１被押上げ部４３０は、連結部４９０から後方に延びている。第１接続部４２０には、第１接点部４１２が設けられている。換言すれば、第１端子４００は、第１接点部４１２を有している。本実施の形態による第１接続部４２０は、Ｚ方向（第１方向）に弾性変形可能であり、これにより第１接点部４１２はＺ方向に移動可能である。
【００５３】
第２端子５００の上部５１０は、前腕部５２０と第２被押上げ部５３０とから構成されている。前腕部５２０は、連結部５９０から前方に延びており、第２被押上げ部５３０は、連結部５９０から後方に延びている。本実施の形態による前腕部５２０は、Ｚ方向（第１方向）に弾性変形可能である。
【００５４】
第１端子４００の第１接続部４２０及び第２端子５００の前腕部５２０は、絶縁体６００の上部６１０の前側（＋Ｘ側）の部位に固定されて、端子３００の第１接続部３２０を構成している。第１被押上げ部４３０及び第２被押上げ部５３０は、上部６１０の後側（−Ｘ側）の部位に固定されて、端子３００の被押上げ部３３０を構成している。
【００５５】
第１端子４００の下部４４０は、前脚部４５０と第１被固定部４７０とを有している。前脚部４５０は、連結部４９０から前方に延びており、第１被固定部４７０は、連結部４９０から後方に延びている。第１被固定部４７０の後端部は、プリント回路基板８５０（図１参照）の導電パッド（図示せず）に半田付け等によって固定され、プリント回路基板８５０と電気的に接続する。
【００５６】
第２端子５００の下部５４０は、第２接続部（第２被固定部）５５０と後脚部５７０とを有している。第２接続部５５０は、連結部５９０から前方に延びており、後脚部５７０は、連結部５９０から後方に延びている。第２接続部５５０の前端部は、プリント回路基板８５０（図１参照）の導電パッド（図示せず）に半田付け等によって固定され、プリント回路基板８５０と電気的に接続する。第２接続部５５０には、第２接点部５４２が設けられている。換言すれば、第２端子５００は、第２接点部５４２を有している。本実施の形態による第２接点部５４２は、プリント回路基板８５０に固定された第２接続部５５０によって、Ｚ方向（第１方向）において移動しないように支持される。
【００５７】
第１端子４００の前脚部４５０及び第２端子５００の第２接続部５５０は、絶縁体６００の下部６４０の前側（＋Ｘ側）の部位に固定されて、端子３００の第２接続部３５０を構成している。第１被固定部４７０及び後脚部５７０は、下部６４０の後側（−Ｘ側）の部位に固定されて、端子３００の第１被固定部３７０を構成している。
【００５８】
図６、図９及び図１０に示されるように、第１接点部４１２と第２接点部５４２とは、Ｚ方向（第１方向）において対向するように設けられている。端子３００がプリント回路基板８００と接続していないとき、第１接点部４１２と第２接点部５４２との間のＺ方向における距離は、導電パッド８１０と導電パッド８２０との間のＺ方向におけるサイズよりも小さい。更に、第１接点部４１２は、第１接続部（弾性支持部）４２０によって支持されており、第２接点部５４２に対してＺ方向において相対的に移動可能である。このため、プリント回路基板８００がコネクタ１０に挿入されると、第１接点部４１２及び第２接点部５４２は、導電パッド８１０及び導電パッド８２０に、Ｚ方向において夫々押し付けられる。第１端子４００の第１接点部４１２は、Ｚ方向において導電パッド８１０と電気的に接続し、第２端子５００の第２接点部５４２は、Ｚ方向において第１接点部４１２とは反対側から導電パッド８２０と電気的に接続する。
【００５９】
図９及び図１０から理解されるように、第１端子４００は、導電パッド８２０と電気的に接続する部位を有しておらず、第２端子５００は、導電パッド８１０と電気的に接続する部位を有していない。詳しくは、第１接点部４１２は、第２端子５００の前腕部５２０を超えてＺ方向（第１方向）の内側に突出しており、第２接点部５４２は、第１端子４００の前脚部４５０を超えてＺ方向の内側に突出している。即ち、第１端子４００は、Ｙ方向（第２方向）に沿って見たときに第２接点部５４２と重なる部位を有しておらず、第２端子５００は、Ｙ方向に沿って見たときに第１接点部４１２と重なる部位を有していない。このため、第１端子４００は、第１接点部４１２のみによって導電パッド８１０と電気的に接続し、第２端子５００は、第２接点部５４２のみによって導電パッド８２０と電気的に接続する。即ち、第１接点部４１２及び第２接点部５４２が導電パッド８１０及び導電パッド８２０と夫々接続する際に、第１端子４００は導電パッド８２０には電気的に接続されず、且つ、第２端子５００は導電パッド８１０には電気的に接続されない。
【００６０】
図８に示されるように、絶縁体６００のＹ方向（第２方向）におけるサイズ（幅）は小さいため、第１接点部４１２と第２接点部５４２とは、Ｙ方向において殆ど離れていない。このため、端子３００は、従来の１つの端子の幅とほぼ同じ幅の間に、２つの接点部（第１接点部４１２及び第２接点部５４２）を有することができる。即ち、本実施の形態によれば、１つの端子３００の第１接点部４１２と第２接点部５４２とをＹ方向において接近させることができる。また、第１接点部４１２及び第２接点部５４２は、互いに異なる信号線と接続された導電パッド８１０及び導電パッド８２０と夫々接続可能である。このように構成された端子３００は、プリント回路基板８００の上面８０４及び下面８０６（図３及び図５参照）に高密度に配置された導電パッド８１０及び導電パッド８２０と安定的に接続可能である。更に、第１端子４００と第２端子５００とが一体化されているため、第１接点部４１２と第２接点部５４２とは、プリント回路基板８００を上下にほぼ同じ力で挟み込むことができる。即ち、第１接点部４１２及び第２接点部５４２は、導電パッド８１０及び導電パッド８２０と安定的に接触する。
【００６１】
図９及び図１０に示されるように、本実施の形態によれば、第１接点部４１２と第２接点部５４２とは、Ｘ方向（第３方向）において同じ位置にある一方、Ｙ方向（第２方向）において異なる位置にある。第１接点部４１２及び第２接点部５４２を導電パッド８１０及び導電パッド８２０と更に安定的に接触させるためには、例えば、端子３００に第１端子４００と同一形状の第３端子（図示せず）と、絶縁体６００と同一形状の第２絶縁体（図示せず）とを設ければよい。詳しくは、第２絶縁体を第２端子５００の＋Ｙ側に固定し、第３端子を第２絶縁体の＋Ｙ側に固定すればよい。
【００６２】
本実施の形態によれば、第１接点部４１２及び第２接点部５４２が導電パッド８１０及び導電パッド８２０と夫々接続する接続方向（第１方向）は、所定平面（ＸＹ平面）と直交するＺ方向である。但し、第１方向は、所定平面と多少斜交していてもよい。即ち、接続方向は、所定平面と交差していればよい。
【００６３】
図１１及び図１２に示されるように、本実施の形態によれば、第１被固定部４７０及び第２接続部（第２被固定部）５５０は、ＸＹ平面（所定平面）と平行なＸ方向（前後方向，第３方向）において互いから離れるように延びている。このため、半田付けが容易である。更に、端子３００は、煽るような力を受けた場合でもプリント回路基板８５０から剥がれにくい。
【００６４】
端子３００は、既に述べた変形例に加えて、様々に変形可能である。例えば、第１端子４００、第２端子５００及び絶縁体６００の基本構造は、互いに異なっていてもよい。より具体的には、例えば第１端子４００は、前脚部４５０を有していなくてもよい。また、第２端子５００は、前腕部５２０を有していなくてもよい。即ち、端子３００の第１接続部３２０が第１端子４００の第１接続部４２０のみから構成され、第２接続部３５０が第２端子５００の第２接続部５５０のみから構成されていてもよい。同様に、端子３００の第１被固定部３７０が第１端子４００の第１被固定部４７０のみから構成されていてもよい。
【００６５】
また、本発明による端子は、以下に説明するように様々な構造を有することができる。
【００６６】
（第２の実施の形態）
図１３及び図１４に示されるように、本発明の第２の実施の形態による端子３００Ａは、端子３００（図７参照）と少し異なるが概ね同様な基本構造を有している。以下、主として、端子３００Ａと端子３００との相違点について説明する。
【００６７】
端子３００Ａは、端子３００（図７参照）と同様に、３つの部材から構成されている。より具体的には、端子３００Ａは、導電体からなる第１端子４００Ａと、導電体からなる第２端子５００Ａと、樹脂等の絶縁性材料からなる絶縁体６００Ａとを備えている。第１端子４００Ａ、第２端子５００Ａ及び絶縁体６００Ａの夫々は、Ｙ方向（第２方向）と直交する平面上を延びている。絶縁体６００Ａは、Ｙ方向において第１端子４００Ａと第２端子５００Ａとを融着により固定して一体化している。
【００６８】
図７及び図１３を参照すると、第１端子４００Ａは、第１端子４００の上部４１０及び下部４４０と異なる上部４１０Ａ及び下部４４０Ａを有する一方、第１端子４００と同様な連結部４９０を有している。上部４１０Ａは、上部４１０の第１接続部４２０と異なる第１接続部（弾性支持部）４２０Ａを有する一方、上部４１０と同様な第１被押上げ部４３０を有している。第１接続部４２０Ａには、第１接点部４１２が設けられている。下部４４０Ａは、下部４４０の前脚部４５０と異なる前脚部４５０Ａを有する一方、下部４４０と同様な第１被固定部４７０を有している。
【００６９】
第２端子５００Ａは、第２端子５００の上部５１０及び下部５４０と異なる上部５１０Ａ及び下部５４０Ａを有する一方、第２端子５００と同様な連結部５９０を有している。上部５１０Ａは、上部５１０の前腕部５２０と異なる前腕部５２０Ａを有する一方、上部５１０と同様な第２被押上げ部５３０を有している。下部５４０Ａは、下部５４０の第２接続部５５０と異なる第２接続部（第２被固定部）５５０Ａを有する一方、下部５４０と同様な後脚部５７０を有している。第２接続部５５０Ａには、第２接点部５４２が設けられている。
【００７０】
絶縁体６００Ａは、絶縁体６００の上部６１０及び下部６４０と異なる上部６１０Ａ及び下部６４０Ａを有する一方、絶縁体６００と同様な連結部６９０を有している。
【００７１】
図１１及び図１６を参照すると、Ｘ方向（第３方向）において、前腕部５２０Ａのサイズは前腕部５２０のサイズよりも小さく、上部６１０Ａの前側の部位のサイズは上部６１０の前側の部位のサイズよりも小さい。第１接続部４２０Ａは、上部６１０Ａの前方において前腕部５２０Ａに近づくように折り曲げられている。より具体的には、第１接続部４２０Ａは、Ｚ方向（第１方向）に沿って見たときにクランク形状を有している。このため、第１接点部４１２（図１３参照）は、Ｙ方向（第２方向）において、端子３００Ａの中間部に位置している。
【００７２】
図１２及び図１７を参照すると、Ｘ方向（第３方向）において、前脚部４５０Ａのサイズは前脚部４５０のサイズよりも小さく、下部６４０Ａの前側の部位のサイズは下部６４０の前側の部位のサイズよりも小さい。第２接続部５５０Ａは、下部６４０Ａの前方において前脚部４５０Ａに近づくように折り曲げられている。より具体的には、第２接続部５５０Ａは、Ｚ方向（第１方向）に沿って見たときにクランク形状を有している。このため、第２接点部５４２（図１３参照）は、Ｙ方向（第２方向）において、端子３００Ａの中間部に位置している。
【００７３】
図１５から理解されるように、端子３００Ａは、端子３００（図７参照）と同様にプリント回路基板８００と接続する。このとき、端子３００Ａによっても、端子３００と同様の効果が得られる。更に、端子３００Ａの第１接点部４１２と第２接点部５４２とは、Ｙ方向（第２方向）において同じ位置にある。このため、このため、端子３００がプリント回路基板８００と接続したとき、第１接点部４１２と導電パッド８１０とのＸＹ平面上における接触位置は、第２接点部５４２と導電パッド８２０とのＸＹ平面上における接触位置と一致する。即ち、第１接点部４１２と第２接点部５４２とは、第１の実施の形態と比べて、導電パッド８１０及び導電パッド８２０と更に安定的に接触する。
【００７４】
本実施の形態によれば、第１接続部４２０Ａ及び第２接続部５５０Ａの夫々がクランク形状を有している。しかしながら、第１接続部４２０Ａ及び第２接続部５５０Ａのうちの一方のみが、クランク形状を有していてもよい。例えば、第１接続部４２０Ａのみがクランク形状を有しており、第１接点部４１２が第２接点部５４２の真上に位置していてもよい。即ち、第１接続部４２０Ａ及び第２接続部５５０Ａのうちの少なくとも一方が、Ｚ方向（第１方向）に沿って見たときにクランク形状を有していればよい。
【００７５】
（第３の実施の形態）
図１８に示されるように、本発明の第３の実施の形態による端子３００Ｂは、端子３００（図７参照）と少し異なるが概ね同様な基本構造を有している。以下、主として、端子３００Ｂと端子３００との相違点について説明する。
【００７６】
端子３００Ｂは、端子３００（図７参照）と同様に、３つの部材から構成されている。より具体的には、端子３００Ｂは、導電体からなる第１端子４００Ｂと、導電体からなる第２端子５００Ｂと、樹脂等の絶縁性材料からなる絶縁体６００Ｂとを備えている。第１端子４００Ｂ、第２端子５００Ｂ及び絶縁体６００Ｂの夫々は、Ｙ方向（第２方向）と直交する平面上を延びている。絶縁体６００Ｂは、Ｙ方向において第１端子４００Ｂと第２端子５００Ｂとを融着により固定して一体化している。
【００７７】
図７，図１８及び図２０を参照すると、第１端子４００Ｂは、第１端子４００の上部４１０と異なる上部４１０Ｂを有する一方、第１端子４００と同様な下部４４０及び連結部４９０を有している。上部４１０Ｂは、上部４１０の第１接続部４２０と異なる第１接続部（弾性支持部）４２０Ｂを有する一方、上部４１０と同様な第１被押上げ部４３０を有している。第１接続部４２０Ｂには、第１接点部４１２が設けられている。
【００７８】
図７，図１３及び図１８を参照すると、第２端子５００Ｂは、第２端子５００Ａと同様な上部５１０Ａを有しており、且つ、第２端子５００と同様な下部５４０及び連結部５９０を有している。即ち、Ｘ方向（第３方向）において、第２端子５００Ｂの前腕部５２０Ａのサイズは前腕部５２０のサイズよりも小さい。また、第２接続部５５０Ａには、第２接点部５４２が設けられている。
【００７９】
図７及び図１８を参照すると、絶縁体６００Ｂは、絶縁体６００の上部６１０と異なる上部６１０Ｂを有する一方、絶縁体６００と同様な下部６４０及び連結部６９０を有している。詳しくは、上部６１０Ｂは、Ｘ方向（第３方向）における前端近傍で、基部６１２Ｂと前端部６１６Ｂの２つの部位に分割されている。
【００８０】
図１９、図２０及び図２２に示されるように、第１接続部４２０Ｂは、基部４２２Ｂと張出し部４２４Ｂと結合部（ビア）４２６Ｂとを有している。基部４２２Ｂは、Ｘ方向（第３方向）に沿って延びている。張出し部４２４Ｂは、Ｙ方向（第２方向）において基部４２２Ｂから離れており、第２端子５００Ｂの前腕部５２０Ａの前方に位置している。結合部４２６Ｂは、基部４２２Ｂと張出し部４２４ＢとをＹ方向において結合している。結合部４２６Ｂは、絶縁体６００Ｂの前端部６１６Ｂによって覆われている。第１接点部４１２は、張出し部４２４Ｂに設けられている。このため、第１接点部４１２は、Ｙ方向において、第２接点部５４２と同じ位置に位置している。
【００８１】
図２１から理解されるように、端子３００Ｂは、端子３００Ａ（図１３参照）と同様にプリント回路基板８００と接続する。このとき、端子３００Ｂによっても、端子３００Ａと同様の効果が得られる。
【００８２】
本実施の形態による結合部４２６Ｂは、円柱形状を有している。しかしながら、基部４２２Ｂと張出し部４２４Ｂとが電気的に確実に接続される限り、結合部４２６Ｂはどのような形状を有していてもよい。
【００８３】
（第４の実施の形態）
図２３及び図２４に示されるように、本発明の第４の実施の形態による端子３００Ｃは、端子３００の第２接続部３５０（図７参照）に代えて、第２被固定部３５０Ｃと第２接続部３６０Ｃとを有している。また、端子３００Ｃの各部位は、端子３００の対応する部位と比べて複雑な形状を有している。特に、端子３００Ｃは連結部３９０と異なる連結部３９０Ｃを有している。端子３００Ｃは、以上の相違点を除き、端子３００と概ね同様な基本構造を有している。以下、主として、端子３００Ｃと端子３００との相違点について説明する。
【００８４】
第２被固定部３５０Ｃは、プリント回路基板８５０（図１参照）に固定される部位である。第２接続部３６０Ｃは、第２被固定部３５０Ｃの上方を前方に向かって延びている。第２接続部３６０Ｃは、第２被固定部３５０Ｃに支持されており、Ｚ方向（第１方向）において弾性変形可能である。連結部３９０Ｃは、ＸＺ平面において蛇行した形状を有しており、ＸＺ平面において弾性変形し易い。
【００８５】
端子３００Ｃは、端子３００（図７参照）と同様に、３つの部材から構成されている。より具体的には、端子３００Ｃは、導電体からなる第１端子４００Ｃと、導電体からなる第２端子５００Ｃと、樹脂等の絶縁性材料からなる絶縁体６００Ｃとを備えている。第１端子４００Ｃ、第２端子５００Ｃ及び絶縁体６００Ｃの夫々は、Ｙ方向（第２方向）と直交する平面上を延びている。絶縁体６００Ｃは、Ｙ方向において第１端子４００Ｃと第２端子５００Ｃとを融着により固定して一体化している。
【００８６】
第１端子４００Ｃは、上部４１０Ｃと下部４４０Ｃと連結部４９０Ｃとを有している。上部４１０Ｃは、第１接続部（弾性支持部）４２０Ｃと第１被押上げ部４３０Ｃとを有している。下部４４０Ｃは、前脚部４５０Ｃと補助部４６０Ｃと第１被固定部４７０Ｃとを有している。第１接続部４２０Ｃ、第１被押上げ部４３０Ｃ、第１被固定部４７０Ｃ及び連結部４９０Ｃは、第１端子４００の第１接続部４２０、第１被押上げ部４３０、第１被固定部４７０及び連結部４９０（図７参照）と概ね同様な基本構造及び機能を有している。
【００８７】
第２端子５００Ｃは、上部５１０Ｃと下部５４０Ｃと連結部５９０Ｃとを有している。上部５１０Ｃは、前腕部５２０Ｃと第２被押上げ部５３０Ｃとを有している。下部５４０Ｃは、第２被固定部５５０Ｃと第２接続部（弾性支持部）５６０Ｃと後脚部５７０Ｃとを有している。前腕部５２０Ｃ、第２被押上げ部５３０Ｃ、後脚部５７０Ｃ及び連結部５９０Ｃは、第２端子５００の前腕部５２０、第２被押上げ部５３０、後脚部５７０及び連結部５９０（図７参照）と概ね同様な基本構造及び機能を有している。
【００８８】
絶縁体６００Ｃは、上部６１０Ｃと下部６４０Ｃと連結部６９０Ｃとを有している。上部６１０Ｃ及び連結部６９０Ｃは、絶縁体６００の上部６１０及び連結部６９０（図７参照）と概ね同様な基本構造及び機能を有している。一方、下部６４０Ｃの前側の部位は、下部６４０と異なり、前脚部６５０Ｃ及び前腕部６６０Ｃの２つの部位に上下に分かれて前方に延びている。
【００８９】
第１端子４００Ｃの前脚部４５０Ｃ及び第２端子５００Ｃの第２被固定部５５０Ｃは、絶縁体６００Ｃの前脚部６５０Ｃに固定されて、端子３００Ｃの第２被固定部３５０Ｃを構成している。補助部４６０Ｃ及び第２接続部５６０Ｃは、前腕部６６０Ｃに固定されて、端子３００Ｃの第２接続部３６０Ｃを構成している。
【００９０】
第１接続部４２０Ｃ及び第２接続部５６０Ｃの夫々は、Ｚ方向（第１方向）に弾性変形可能である。換言すれば、本実施の形態による第１端子４００Ｃ及び第２端子５００Ｃは、弾性変形可能な弾性支持部４２０Ｃ及び弾性支持部５６０Ｃを夫々有している。第１接点部４１２は第１接続部４２０Ｃに設けられており、第２接点部５４２は第２接続部５６０Ｃに設けられている。即ち、第１接点部４１２及び第２接点部５４２は、弾性支持部４２０Ｃ及び弾性支持部５６０Ｃによって夫々支持されている。詳しくは、第１接点部４１２は、第２接点部５４２に対してＺ方向において相対的に移動可能であり、第２接点部５４２は、第１接点部４１２に対してＺ方向において相対的に移動可能である。
【００９１】
図２５から理解されるように、端子３００Ｃは、端子３００（図７参照）と同様にプリント回路基板８００と接続する。このとき、端子３００Ｃによっても、端子３００と同様の効果が得られる。更に、連結部３９０Ｃが弾性変形し易く、且つ、第１接点部４１２及び第２接点部５４２の夫々がＺ方向（第１方向）において移動可能に支持されているため、端子３００Ｃは、例えばプリント回路基板８００のＺ方向（第１方向）におけるサイズ（厚さ）がＹ方向（第２方向）においてばらついている場合であっても、プリント回路基板８００と安定的に接続できる。
【００９２】
但し、本発明によれば、第１接点部及び第２接点部の一方のみがＺ方向（第１方向）において移動可能に支持されていてもよい。換言すれば、第１端子及び第２端子のうちの少なくとも一方が、弾性変形可能な弾性支持部を有していればよい。また、第１接点部及び第２接点部のうちの少なくとも一方が、弾性支持部によって支持されており、第１接点部及び第２接点部のうちの他方に対してＺ方向において相対的に移動可能であればよい。
【００９３】
（第５の実施の形態）
図２６及び図２７に示されるように、本発明の第５の実施の形態による端子３００Ｄは、端子３００の被押上げ部３３０（図７参照）に対応する部位を有していない。即ち、端子３００Ｄは、第１接続部３２０Ｄのみからなる上部３１０Ｄを有している。また、端子３００Ｄは、連結部３９０と少し異なる連結部３９０Ｄを有している。連結部３９０ＤのＸ方向（第３方向）におけるサイズは比較的大きい。以上のように構成された第１接続部３２０Ｄは、ＸＺ平面において比較的に弾性変形し難い。端子３００Ｄは、以上の相違点を除き、端子３００と概ね同様な基本構造を有している。以下、主として、端子３００Ｃと端子３００との相違点について説明する。
【００９４】
端子３００Ｄは、端子３００（図７参照）と同様に、３つの部材から構成されている。より具体的には、端子３００Ｄは、導電体からなる第１端子４００Ｄと、導電体からなる第２端子５００Ｄと、樹脂等の絶縁性材料からなる絶縁体６００Ｄとを備えている。第１端子４００Ｄ、第２端子５００Ｄ及び絶縁体６００Ｄの夫々は、Ｙ方向（第２方向）と直交する平面上を延びている。絶縁体６００Ｄは、Ｙ方向において第１端子４００Ｄと第２端子５００Ｄとを融着により固定して一体化している。
【００９５】
図７、図８、図２６及び図２７を参照すると、第１端子４００Ｄは、第１端子４００の上部４１０と異なる上部４１０Ｄと連結部４９０Ｄとを有する一方、第１端子４００と同様な下部４４０を有している。上部４１０Ｄは、上部４１０の第１接続部４２０と異なる第１接続部４２０Ｄを有しており、第１被押上げ部４３０に対応する部位を有していない。連結部４９０ＤのＸ方向（第３方向）におけるサイズは比較的大きい。即ち、第１接続部４２０Ｄは、第１接続部４２０に比べて弾性変形し難い。第１接続部４２０Ｄには、第１接点部４１２Ｄが設けられている。第１接点部４１２Ｄは、上述のように構成された第１接続部４２０Ｄによって、Ｚ方向（第１方向）において移動しないように支持されている。
【００９６】
第２端子５００Ｄは、第２端子５００の上部５１０、下部５４０及び連結部５９０と夫々異なる上部５１０Ｄ、下部５４０Ｄ及び連結部５９０Ｄを有している。上部５１０Ｄは、上部５１０と同様な前腕部５２０を有する一方、第２被押上げ部５３０に対応する部位を有していない。連結部５９０ＤのＸ方向（第３方向）におけるサイズは比較的大きい。下部５４０Ｄは、下部５４０の第２接続部５５０と異なる第２接続部（第２被固定部）５５０Ｄを有する一方、下部５４０と同様な後脚部５７０を有している。第２接続部５５０Ｄには、第２接点部５４２Ｄが設けられている。第２接点部５４２Ｄは、プリント回路基板８５０（図１参照）に固定された第２接続部５５０Ｄによって、Ｚ方向（第１方向）において移動しないように支持されている。即ち、本実施の形態によれば、第１接点部４１２Ｄ及び第２接点部５４２Ｄのいずれも、Ｚ方向において移動しないように支持されている。
【００９７】
絶縁体６００Ｄは、絶縁体６００の上部６１０及び連結部６９０と夫々異なる上部６１０Ｄ及び連結部６９０Ｄを有する一方、絶縁体６００と同様な下部６４０を有している。詳しくは、上部６１０Ｄは、連結部６９０Ｄの後方に位置する部位を有していない。また、連結部６９０ＤのＸ方向（第３方向）におけるサイズは比較的大きい。
【００９８】
図２８に示されるように、第１接点部４１２Ｄは、第２端子５００Ｄの前腕部５２０Ｄを超えてＺ方向（第１方向）の内側に突出しており、第２接点部５４２Ｄは、第１端子４００Ｄの前脚部４５０を超えてＺ方向の内側に突出している。第１接点部４１２Ｄ及び第２接点部５４２Ｄは、Ｘ方向（第３方向）に沿って長く延びている。また、第１接点部４１２Ｄと第２接点部５４２Ｄとは、Ｘ方向において同じ位置にある。このように構成された端子３００Ｄは、接続対象物（相手側コネクタ）８００Ｄと接続可能である。換言すれば、端子３００Ｄの接続対象物は、相手側コネクタである。
【００９９】
相手側コネクタ８００Ｄは、導電体からなる複数の第１相手側接続部（第１相手側端子）８１０Ｄ（図２８においては１つのみ描画）と、導電体からなる複数の第２相手側接続部（第２相手側端子）８２０Ｄ（図２８においては１つのみ描画）と、第１相手側端子８１０Ｄ及び第２相手側端子８２０Ｄを保持するハウジング（図２８においては一部のみ描画）とを備えている。第１相手側端子８１０Ｄは相手側コネクタ８００Ｄの上側（＋Ｚ側）に設けられており、第２相手側端子８２０Ｄは相手側コネクタ８００Ｄの下側（−Ｚ側）に設けられている。第１相手側端子８１０Ｄ及び第２相手側端子８２０Ｄの夫々は、Ｚ方向（第１方向）において弾性変形可能である。
【０１００】
第１端子４００Ｄは、Ｙ方向（第２方向）に沿って見たときに第２接点部５４２Ｄと重なる部位を有しておらず、第２端子５００Ｄは、Ｙ方向に沿って見たときに第１接点部４１２Ｄと重なる部位を有していない。このため、第１端子４００Ｄは、弾性変形した第１相手側端子８１０Ｄと第１接点部４１２Ｄのみによって電気的に接続し、第２端子５００Ｄは、弾性変形した第２相手側端子８２０Ｄと第２接点部５４２Ｄのみによって電気的に接続する。
【０１０１】
以上の説明から理解されるように、第１端子４００Ｄは、第２相手側端子８２０Ｄと電気的に接続する部位を有しておらず、第２端子５００Ｄは、第１相手側端子８１０Ｄと電気的に接続する部位を有していない。このため、第１接点部４１２Ｄ及び第２接点部５４２Ｄが第１相手側端子８１０Ｄ及び第２相手側端子８２０Ｄと夫々接続する際に、第１端子４００Ｄは第２相手側端子８２０Ｄには電気的に接続されず、且つ、第２端子５００Ｄは第１相手側端子８１０Ｄには電気的に接続されない。即ち、端子３００Ｄによっても、端子３００（図７参照）と同様な効果が得られる。
【０１０２】
（第６の実施の形態）
図３０乃至図３２から理解されるように、本発明の第６の実施の形態による端子３００Ｅは、コネクタ１０（図１参照）と異なる基板コネクタ（図示せず）に収容される。基板コネクタは、ＸＹ平面（所定平面）の沿って延びるプリント回路基板８５０（図１参照）に固定される。端子３００Ｅは、基板コネクタに対して上方から挿入された接続対象物（相手側コネクタ）８００Ｅと接続する。即ち、端子３００Ｅの固定対象物はプリント回路基板であり、接続対象物は相手側コネクタである。
【０１０３】
図３１及び図３２から理解されるように、相手側コネクタ８００Ｅは、複数の第１相手側接続部（第１相手側端子）８１０Ｅ（図３１及び図３２においては１つのみ描画）と、複数の第２相手側接続部（第２相手側端子）８２０Ｅ（図３１及び図３２においては１つのみ描画）と、第１相手側端子８１０Ｅ及び第２相手側端子８２０Ｅを保持するハウジング（図３１及び図３２においては一部のみ描画）とを備えている。第１相手側端子８１０Ｅは相手側コネクタ８００Ｅの後側（−Ｘ側）に設けられており、第２相手側端子８２０Ｅは相手側コネクタ８００Ｅの前側（＋Ｘ側）に設けられている。
【０１０４】
図３０に示されるように、端子３００Ｅは、後部３１０Ｅと前部３４０Ｅと連結部３９０Ｅとを有している。前部３４０Ｅは、後部３１０Ｅを、Ｚ方向（上下方向，第３方向）と平行な軸を中心にして１８０°回転させた形状を有している。詳しくは、後部３１０Ｅは、第１接続部３２０Ｅと第１被固定部３７０Ｅとを有しており、前部３４０Ｅは、第２接続部３６０Ｅと第２被固定部３５０Ｅとを有している。第１接続部３２０Ｅ及び第２接続部３６０Ｅは、Ｚ方向に沿って延びている。連結部３９０Ｅは、第１接続部３２０Ｅの下端部（−Ｚ側の端部）と第２接続部３６０Ｅの下端部とをＸ方向（前後方向，第１方向）に連結している。第１被固定部３７０Ｅは、第１接続部３２０Ｅの上端部（＋Ｚ側の端部）から下方に（−Ｚ方向に）延びている。また、第１被固定部３７０Ｅの下端部は後方に（−Ｘ方向に）延びている。第２被固定部３５０Ｅは、第２接続部３６０Ｅの上端部から下方に延びている。また、第２被固定部３５０Ｅの下端部は前方に（＋Ｘ方向に）延びている。第１被固定部３７０Ｅの下端部及び第２被固定部３５０Ｅの下端部は、プリント回路基板８５０（図１参照）に固定される。このように構成された端子３００Ｅの第１接続部３２０Ｅ及び第２接続部３６０Ｅは、Ｘ方向において弾性変形可能である。
【０１０５】
端子３００Ｅは、端子３００（図７参照）と同様に、３つの部材から構成されている。より具体的には、端子３００Ｅは、導電体からなる第１端子４００Ｅと、導電体からなる第２端子５００Ｅと、樹脂等の絶縁性材料からなる絶縁体６００Ｅとを備えている。第１端子４００Ｅ、第２端子５００Ｅ及び絶縁体６００Ｅの夫々は、Ｙ方向（ピッチ方向，第２方向）と直交する平面上を延びている。絶縁体６００Ｅは、Ｙ方向において第１端子４００Ｅと第２端子５００Ｅとを互いから絶縁しつつ融着により固定して一体化している。
【０１０６】
第１端子４００Ｅは、主部４１０Ｅと副部４４０Ｅと連結部４９０Ｅとを有している。主部４１０Ｅは、第１接続部（弾性支持部）４２０Ｅと第１被固定部４７０Ｅとを有している。第１接続部４２０Ｅ及び副部４４０Ｅは、Ｚ方向（第３方向）に沿って延びている。第１接続部４２０Ｅには、第１接点部４１２Ｅが設けられている。連結部４９０Ｅは、第１接続部４２０Ｅの下端部と副部４４０Ｅの下端部とをＸ方向（第１方向）に連結している。第１被固定部４７０Ｅは、第１接続部４２０Ｅの上端部から下方に延びている。また、第１被固定部４７０Ｅの下端部は後方に延びている。
【０１０７】
第２端子５００Ｅは、第１端子４００Ｅを、Ｚ方向（第３方向）と平行な軸を中心にして１８０°回転させた形状を有している。詳しくは、第２端子５００Ｅは、主部５１０Ｅと副部５４０Ｅと連結部５９０Ｅとを有している。主部５１０Ｅは、第２接続部（弾性支持部）５６０Ｅと第２被固定部５５０Ｅとを有している。第２接続部５６０Ｅ及び副部５４０Ｅは、Ｚ方向に沿って延びている。第２接続部５６０Ｅには、第２接点部５４２Ｅが設けられている。連結部５９０Ｅは、第２接続部５６０Ｅの下端部と副部５４０Ｅの下端部とをＸ方向（第１方向）に連結している。第２被固定部５５０Ｅは、第２接続部５６０Ｅの上端部から下方に延びている。また、第２被固定部５５０Ｅの下端部は前方に延びている。
【０１０８】
絶縁体６００Ｅは、Ｚ方向（第３方向）と平行な軸を中心として２回対称な形状を有している。詳しくは、絶縁体６００Ｅは、前部６１０Ｅと後部６４０Ｅと連結部６９０Ｅとを有している。前部６１０Ｅ及び後部６４０Ｅは、Ｚ方向に沿って延びている。連結部６９０Ｅは、前部６１０Ｅの下端部と後部６４０Ｅの下端部とをＸ方向（第１方向）に連結している。
【０１０９】
第１端子４００Ｅの第１接続部４２０Ｅ及び第２端子５００Ｅの副部５４０Ｅは、絶縁体６００Ｅの後部６４０Ｅに固定されて、端子３００Ｅの第１接続部３２０Ｅを構成している。副部４４０Ｅ及び第２接続部５６０Ｅは、前部６１０Ｅに固定されて、端子３００Ｅの第２接続部３６０Ｅを構成している。連結部４９０Ｅ及び連結部５９０Ｅは、連結部６９０Ｅに固定されて、端子３００Ｅの連結部３９０Ｅを構成している。端子３００Ｅの第１被固定部３７０Ｅは、第１端子４００Ｅの第１被固定部４７０Ｅのみによって構成されており、端子３００Ｅの第２被固定部３５０Ｅは、第２端子５００Ｅの第２被固定部５５０Ｅのみによって構成されている。
【０１１０】
図３１に示されるように、第１接点部４１２Ｅは、Ｘ方向（第１方向）において第１相手側端子８１０Ｅと電気的に接続し、第２接点部５４２Ｅは、Ｘ方向において第１接点部４１２Ｅとは反対側から第２相手側端子８２０Ｅと電気的に接続する。即ち、本実施の形態における接続方向（第１方向）は、ＸＹ平面（所定平面）と平行な前後方向である。
【０１１１】
詳しくは、第１接続部４２０Ｅ及び第２接続部５６０Ｅの夫々はＸ方向（第１方向）において弾性変形可能である。即ち、第１接点部４１２Ｅ及び第２接点部５４２Ｅは、第１接続部４２０Ｅ及び第２接続部５６０Ｅによって支持されており、Ｘ方向において互いに相対的に移動可能である。
【０１１２】
第１接点部４１２Ｅは、第２端子５００Ｅの副部５４０Ｅを超えてＸ方向（第１方向）の内側に突出しており、第２接点部５４２Ｅは、第１端子４００Ｅの副部４４０Ｅを超えてＸ方向の内側に突出している。また、第１接点部４１２Ｅと第２接点部５４２Ｅとは、Ｚ方向（第３方向）において同じ位置にある。
【０１１３】
第１端子４００Ｅは、Ｙ方向（第２方向）に沿って見たときに第２接点部５４２Ｅと重なる部位を有しておらず、第２端子５００Ｅは、Ｙ方向に沿って見たときに第１接点部４１２Ｅと重なる部位を有していない。第１端子４００Ｅは、第１接点部４１２Ｅのみによって第１相手側端子８１０Ｅと電気的に接続し、第２端子５００Ｅは、第２接点部５４２Ｅのみによって第２相手側端子８２０Ｅと電気的に接続する。
【０１１４】
第１端子４００Ｅは、第２相手側端子８２０Ｅと電気的に接続する部位を有しておらず、第２端子５００Ｅは、第１相手側端子８１０Ｅと電気的に接続する部位を有していない。このため、第１接点部４１２Ｅ及び第２接点部５４２Ｅが第１相手側端子８１０Ｅ及び第２相手側端子８２０Ｅと夫々接続する際に、第１端子４００Ｅは第２相手側端子８２０Ｅには電気的に接続されず、且つ、第２端子５００Ｅは第１相手側端子８１０Ｅには電気的に接続されない。
【０１１５】
また、第１被固定部４７０Ｅの下端部及び第２被固定部５５０Ｅの下端部は、Ｘ方向（前後方向）において互いから離れるように延びている。このため、半田付けが容易である。更に、端子３００Ｅは、煽るような力を受けた場合でもプリント回路基板８５０（図１参照）から剥がれにくい。
【０１１６】
以上の説明から理解されるように、端子３００Ｅによっても、端子３００（図７参照）と同様な効果が得られる。
【０１１７】
（第７の実施の形態）
図３３に示されるように、本発明の第７の実施の形態による端子３００Ｆは、端子３００Ｅの第１被固定部３７０Ｅ及び第２被固定部３５０Ｅ（図３０参照）に代えて、第１被固定部３７０Ｆ及び第２被固定部３５０Ｆを有している。第１被固定部３７０Ｆ及び第２被固定部３５０Ｆは、プリント回路基板８５０（図１参照）に固定される部位である。端子３００Ｆは、以上の相違点を除き、端子３００Ｅと概ね同様な基本構造を有している。以下、主として、端子３００Ｆと端子３００Ｅとの相違点について説明する。
【０１１８】
端子３００Ｆは、端子３００Ｅ（図３０参照）と同様に、３つの部材から構成されている。より具体的には、端子３００Ｆは、導電体からなる第１端子４００Ｆと、導電体からなる第２端子５００Ｆと、端子３００Ｅと同様な絶縁体６００Ｅとを備えている。第１端子４００Ｆ、第２端子５００Ｆ及び絶縁体６００Ｆの夫々は、Ｙ方向（第２方向）と直交する平面上を延びている。絶縁体６００Ｆは、Ｙ方向において第１端子４００Ｆと第２端子５００Ｆとを融着により固定して一体化している。
【０１１９】
図３０及び図３３を参照すると、第１端子４００Ｆは、第１端子４００Ｅの主部４１０Ｅと異なる主部４１０Ｆを有する一方、第１端子４００Ｅと同様な副部４４０Ｅ及び連結部４９０Ｅを有している。主部４１０Ｆは、主部４１０Ｅと同様な第１接続部（弾性支持部）４２０Ｅを有する一方、第１被固定部４７０Ｅを有していない。第１接続部４２０Ｅには、第１接点部４１２Ｅが設けられている。第１端子４００Ｆは、第１被固定部４７０Ｅに代えて第１被固定部４７０Ｆを有している。第１被固定部４７０Ｆは、連結部４９０Ｅから後方に延びている。
【０１２０】
第２端子５００Ｆは、第１端子４００Ｆを、Ｚ方向（第３方向）と平行な軸を中心にして１８０°回転させた形状を有している。詳しくは、第２端子５００Ｅは、第２端子５００Ｅの主部５１０Ｅと異なる主部５１０Ｆを有する一方、第２端子５００Ｅと同様な副部５４０Ｅ及び連結部５９０Ｅを有している。主部５１０Ｆは、主部５１０Ｅと同様な第２接続部（弾性支持部）５６０Ｅを有する一方、第２被固定部５５０Ｅを有していない。第２接続部５６０Ｅには、第２接点部５４２Ｅが設けられている。第２端子５００Ｆは、第２被固定部５５０Ｅに代えて第２被固定部５５０Ｆを有している。第２被固定部５５０Ｆは、連結部５９０Ｅから前方に延びている。
【０１２１】
端子３００Ｆの第１被固定部３７０Ｆは、第１端子４００Ｆの第１被固定部４７０Ｆのみによって構成されており、端子３００Ｆの第２被固定部３５０Ｆは、第２端子５００Ｆの第２被固定部５５０Ｆのみによって構成されている。第１被固定部４７０Ｆ及び第２被固定部５５０Ｆは、Ｘ方向（前後方向）において互いから離れるように延びている。
【０１２２】
図３４から理解されるように、端子３００Ｆは、端子３００Ｅ（図３１参照）と同様に相手側コネクタ８００Ｅと接続する。このとき、端子３００Ｆによっても、端子３００Ｅと同様の効果が得られる。
【０１２３】
本発明による端子は、上述の実施の形態に限られず様々に変形可能である。例えば、端子は、ハウジングに圧入されていてもよい。また、端子は、３つ以上の端子を絶縁体によって交互に固定したものであってもよい。更に、上述の実施の形態による端子の構造は、様々に組み合わせることができる。
【符号の説明】
【０１２４】
１０        コネクタ
１００      ハウジング
１０２      前端
１１０      上板
１２０      底板
１３０      受容部
１４０      収容部
２００      アクチュエータ
２１０      スリット
２２０      押上げ部
３００，３００Ａ，３００Ｂ，３００Ｃ，３００Ｄ，３００Ｅ，３００Ｆ  端子
３１０，３１０Ｄ                        上部
３１０Ｅ                                後部
３２０，３２０Ｄ，３２０Ｅ              第１接続部
３３０                                  被押上げ部
３４０                                  下部
３４０Ｅ                                前部
３５０                                  第２接続部（第２被固定部）
３５０Ｃ，３５０Ｅ，３５０Ｆ            第２被固定部
３６０Ｃ，３６０Ｅ                      第２接続部
３７０，３７０Ｅ，３７０Ｆ              第１被固定部
３９０，３９０Ｃ，３９０Ｄ，３９０Ｅ    連結部
４００，４００Ａ，４００Ｂ，４００Ｃ，４００Ｄ，４００Ｅ，４００Ｆ  第１端子
４１０，４１０Ａ，４１０Ｂ，４１０Ｃ，４１０Ｄ  上部
４１０Ｅ，４１０Ｆ                              主部
４１２，４１２Ｄ，４１２Ｅ                      第１接点部
４２０，４２０Ａ，４２０Ｂ，４２０Ｃ，４２０Ｅ  第１接続部（弾性支持部）
４２０Ｄ                                        第１接続部
４２２Ｂ                                        基部
４２４Ｂ                                        張出し部
４２６Ｂ                                        結合部（ビア）
４３０，４３０Ｃ                                第１被押上げ部
４４０，４４０Ａ，４４０Ｃ                      下部
４４０Ｅ                                        副部
４５０，４５０Ａ，４５０Ｃ                      前脚部
４６０Ｃ                                        補助部
４７０，４７０Ｃ，４７０Ｅ，４７０Ｆ            第１被固定部
４９０，４９０Ｃ，４９０Ｄ，４９０Ｅ            連結部
５００，５００Ａ，５００Ｂ，５００Ｃ，５００Ｄ，５００Ｅ，５００Ｆ  第２端子
５１０，５１０Ａ，５１０Ｃ，５１０Ｄ            上部
５１０Ｅ，５１０Ｆ                              主部
５２０，５２０Ａ，５２０Ｃ                      前腕部
５３０，５３０Ｃ                                第２被押上げ部
５４０，５４０Ａ，５４０Ｃ，５４０Ｄ            下部
５４０Ｅ                                        副部
５４２，５４２Ｄ，５４２Ｅ                      第２接点部
５５０，５５０Ａ，５５０Ｄ                      第２接続部（第２被固定部）
５５０Ｃ，５５０Ｅ，５５０Ｆ                    第２被固定部
５６０Ｃ，５６０Ｅ                              第２接続部（弾性支持部）
５７０，５７０Ｃ                                後脚部
５９０，５９０Ｃ，５９０Ｄ，５９０Ｅ            連結部
６００，６００Ａ，６００Ｂ，６００Ｃ，６００Ｄ，６００Ｅ  絶縁体
６１０，６１０Ａ，６１０Ｂ，６１０Ｃ，６１０Ｄ  上部
６１０Ｅ                                        前部
６１２Ｂ                                        基部
６１６Ｂ                                        前端部
６４０，６４０Ａ，６４０Ｃ                      下部
６４０Ｅ                                        後部
６５０Ｃ                                        前脚部
６６０Ｃ                                        前腕部
６９０，６９０Ｃ，６９０Ｄ，６９０Ｅ            連結部
７００              絶縁シート
８００              接続対象物（プリント回路基板）
８００Ｄ，８００Ｅ  接続対象物（相手側コネクタ）
８０２              接続端
８０４              上面
８０６              下面
８１０              第１相手側接続部（導電パッド）
８１０Ｄ，８１０Ｅ  第１相手側接続部（第１相手側端子）
８２０              第２相手側接続部（導電パッド）
８２０Ｄ，８２０Ｅ  第２相手側接続部（第２相手側端子）
８５０              固定対象物（プリント回路基板）
【図１】
2015133202.tif 000003
【図２】
2015133202.tif 000004
【図３】
2015133202.tif 000005
【図４】
2015133202.tif 000006
【図５】
2015133202.tif 000007
【図６】
2015133202.tif 000008
【図７】
2015133202.tif 000009
【図８】
2015133202.tif 000010
【図９】
2015133202.tif 000011
【図１０】
2015133202.tif 000012
【図１１】
2015133202.tif 000013
【図１２】
2015133202.tif 000014
【図１３】
2015133202.tif 000015
【図１４】
2015133202.tif 000016
【図１５】
2015133202.tif 000017
【図１６】
2015133202.tif 000018
【図１７】
2015133202.tif 000019
【図１８】
2015133202.tif 000020
【図１９】
2015133202.tif 000021
【図２０】
2015133202.tif 000022
【図２１】
2015133202.tif 000023
【図２２】
2015133202.tif 000024
【図２３】
2015133202.tif 000025
【図２４】
2015133202.tif 000026
【図２５】
2015133202.tif 000027
【図２６】
2015133202.tif 000028
【図２７】
2015133202.tif 000029
【図２８】
2015133202.tif 000030
【図２９】
2015133202.tif 000031
【図３０】
2015133202.tif 000032
【図３１】
2015133202.tif 000033
【図３２】
2015133202.tif 000034
【図３３】
2015133202.tif 000035
【図３４】
2015133202.tif 000036
【図３５】
2015133202.tif 000037